【事件の表示】
　特願２０１６−１７８３８８号「遊技機」拒絶査定不服審判事件〔平成２９年　２月　２日出願公開、特開２０１７−　２３７７３号〕について、次のとおり審決する。
【結　論】
　本件審判の請求は、成り立たない。
【理　由】
第１　手続の経緯　
　本願は、平成２７年７月１５日に出願した特願２０１５−１４１６７５号の一部を平成２８年９月１３日に新たな特許出願（特願２０１６−１７８３８８号）としたものであって、平成２９年１１月２４日付けで拒絶の理由が通知され、平成３０年１月３１日に意見書及び手続補正書が提出され、同年５月２３日付けで最後の拒絶の理由が通知され、同年７月２３日に意見書及び手続補正書が提出されたところ、同年１１月９日付け（謄本送達日：同年同月２０日）で、平成３０年７月２３日に提出された手続補正書による補正が却下されるとともに拒絶査定（以下、「原査定」という。）がなされ、それに対して、平成３１年２月１９日に拒絶査定不服審判の請求がなされると同時に手続補正がなされたものである。
第２　平成３１年２月１９日にされた手続補正（以下、「本件補正」という。）についての補正の却下の決定 
［補正の却下の決定の結論］ 
　本件補正を却下する。 
［理由］ 
１．本件補正について 
　本件補正は、特許請求の範囲を補正する内容を含んでおり、本件補正により、特許請求の範囲の請求項１は、 
 （補正前：平成３０年１月３１日付け手続補正） 
　「【請求項１】
　遊技球が流下可能な遊技領域を前面に備えた遊技板と、
　前記遊技領域を囲む包囲壁と、
　前記遊技領域の左上縁部側に設けられ、遊技球を前記遊技領域に打ち込むための進入口と、
　前記進入口から前記包囲壁に沿って前記遊技領域の右側流下エリアに遊技球を案内する右打導入通路と、を備えた遊技機において、
　前記右打導入通路を屈曲させてなる減速屈曲部と、
　前記減速屈曲部に設けられて前記包囲壁に下方から隣接し、前記進入口から前記包囲壁に沿って進んできた遊技球が衝突可能な緩衝部材を設け、
　前記右打導入通路は、前記減速屈曲部に設けられた段差部より左側の左上側通路と、右側の右下側通路と、前記左上側通路と前記右下側通路との間を連絡する中間通路とを有し、
　前記緩衝部材は、弾性部材で構成されて、前記右下側通路と前記包囲壁との間でかつ前記左上側通路の延長線上に位置し
　前記段差部は、前記中間通路の左側内側面に形成され、前記左上側通路の下面に対して略直交した逆流規制部と、前記逆流規制部の下端部から下方に向かうに従って右側に向かうように傾斜した誘導傾斜部とを備え、
　前記緩衝部材のうち遊技球が衝突する衝突面は、前記遊技板側に向かうに従って前記左上側通路の延長方向に向かうように傾斜していることを特徴とする遊技機。」
から、 
 （補正後：本件補正である平成３１年２月１９日付け手続補正） 
　「【請求項１】
Ａ　遊技球が流下可能な遊技領域を前面に備えた遊技板と、
Ｂ　前記遊技領域を囲む包囲壁と、
Ｃ　前記遊技領域の左上縁部側に設けられ、遊技球を前記遊技領域に打ち込むための進入口と、
Ｄ　
前記遊技領域の上縁部側に設けられ、
Ｅ　前記右打導入通路
のうち前記遊技領域の上端部近傍に位置する部分
Ｆ　前記減速屈曲部に設けられて前記包囲壁に下方から隣接し、前記進入口から前記包囲壁に沿って進んできた遊技球が衝突可能な緩衝部材を設け、
Ｇ　前記右打導入通路は、前記減速屈曲部に設けられた段差部より左側の左上側通路と、右側の右下側通路と、前記左上側通路と前記右下側通路との間を連絡
し、右下がりに傾斜する
Ｈ　前記緩衝部材は、弾性部材で構成されて、前記右下側通路と前記包囲壁との間でかつ前記左上側通路の延長線上に位置し
、
Ｉ　前記段差部は、前記中間通路の左側内側面に形成され、前記左上側通路の下面に対して略直交した逆流規制部と、前記逆流規制部の下端部から下方に向かうに従って右側に向かうように傾斜した誘導傾斜部とを備え、
Ｊ　前記緩衝部材のうち遊技球が衝突する衝突面は、前記遊技板側に向かうに従って前記左上側通路の延長方向に向かうように傾斜していることを特徴とする
Ｋ　遊技機。」 
に補正された（下線は、補正箇所を明示するために当審で付した。また、Ａ〜Ｋは、当審にて分説して付した。）。
２．補正の適否 
（１）本件補正
　本件補正は、補正前の請求項１について、
（ｉ）発明を特定するために必要な事項である「右打導入通路」に関して、「前記遊技領域の上縁部側に設けられ」という限定を加え、
（ｉｉ）発明を特定するために必要な事項である「右打導入通路」を「屈曲させてなる」「減速屈曲部」に関して、「右打導入通路」を屈曲させる部分を、該通路「のうち前記遊技領域の上端部近傍に位置する部分」であるという限定を加え、
（ｉｉｉ）発明を特定するために必要な事項である「左上側通路」と「右下側通路」との間を連絡する「中間通路」に関し、「右下がりに傾斜する」ものであるという限定を加えるとともに、
（ｉｖ）「前記緩衝部材は、弾性部材で構成されて、前記右下側通路と前記包囲壁との間でかつ前記左上側通路の延長線上に位置し」という記載の直後に、読点（「、」）を加えるものである。
（２）補正目的
　上記（１）の補正事項（ｉ）〜（ｉｉｉ）は、補正前の発明特定事項に限定を加えるものであって、補正後の請求項１に係る発明は、補正前の請求項１に係る発明と、産業上の利用分野及び解決しようとする課題が同一であるから、本件補正のうち特許請求の範囲の請求項１についてする補正は、特許法第１７条の２第５項第２号に掲げる「特許請求の範囲の減縮」を目的とする補正に該当する。 
　上記（１）の補正事項（ｉｖ）について、請求人は補正目的を主張していないが、補正前の請求項１において、「前記緩衝部材は、弾性部材で構成されて、前記右下側通路と前記包囲壁との間でかつ前記左上側通路の延長線上に位置し」という記載の後、改行を行ったうえで、「前記段差部は、・・・右側に向かうように傾斜した誘導傾斜部とを備え、」と記載を続けている。補正前の請求項１において、「前記緩衝部材は、弾性部材で構成されて、前記右下側通路と前記包囲壁との間でかつ前記左上側通路の延長線上に位置し」というひとまとまりの意味をなす記載の節目を明示するため、本来であれば、「読点（、）」を付すことが適当な箇所に、「読点（、）」を付さなかったことが明らかであって、補正前の請求項１の記載における誤記の箇所と、その正しい記載を一義的に認定することができるから、補正事項（ｉｖ）は、特許法第１７条の２第５項第３号に掲げる誤記の訂正に該当する。
（３）新規事項
　本件補正は、願書に最初に添付した明細書の【００２０】、【００２１】、【００２５】、【００２９】及び図５、図６の記載からみて新規事項を追加するものではないから、特許法第１７条の２第３項に規定する要件を満たす。 
　
３．本件補正発明の独立特許要件についての検討 
　上記２．（２）のとおり、本件補正は、特許法第１７条の２第５項第２号に掲げる「特許請求の範囲の減縮」を目的とする補正を含むことから、本件補正後の特許請求の範囲の請求項１に係る発明（以下、「本件補正発明」という。）が特許出願の際独立して特許を受けることができるものであるか（特許法第１７条の２第６項において準用する同法第１２６条第７項の規定に適合するか）について以下に検討する。 
（１）本件補正発明
　本件補正発明は、本件補正である平成３１年２月１９日付け手続補正書により補正された、上記第２の１．で示した特許請求の範囲の請求項１に記載されたとおりのものである。 
（２）引用文献１に記載された発明 
　原査定の拒絶の理由において提示された、本願の出願前に頒布された刊行物又は電気通信回線を通じて公衆に利用可能となった特開２０１３−１７７４８号公報（以下「引用文献１」という。）には、図面と共に次の事項が記載されている（下線は当審にて付した。）。 
　ア　　記載事項
「【技術分野】
【０００１】
　本発明は、遊技盤面と該遊技盤面に対し所定の隙間を隔てて配置される透光板との間に遊技領域が形成され、該遊技領域に遊技球を発射することにより遊技が行われる遊技機に関する。
・・・
【０００６】
　本発明は、このような問題点に着目してなされたもので、遊技領域を視認可能に閉鎖する透明板に遊技領域の遊技球が接触して損傷することを防止できる遊技機を提供することを目的とする。
・・・
【００１３】
　本発明の手段６に記載の遊技機は、請求項１または手段１〜５のいずれかに記載の遊技機であって、
　前記遊技領域（遊技領域７）の周囲に設けられ、該遊技領域に打ち出された遊技球を遊技領域の周縁に沿うように誘導する誘導レール（外レール４０１、外レール飾り４１０ａ〜４１０ｃ）と、
　前記遊技領域に設けられる遊技用部材（センター枠飾り１１）と、
　前記遊技領域のうち前記誘導レールと前記遊技用部材との間に形成される遊技球流路（球案内通路２７６）と、を備え、
　前記衝突部（衝突部５０５）は、前記遊技球流路の下流側（流出部２７６ｂの下方近傍位置）に配設され、
　前記遊技球流路に、該遊技球流路内を流下する遊技球の流下速度を減速させる減速部（第１減速部２７８，第２減速部２７９）が設けられている（図７参照）、
　ことを特徴としている。
　この特徴によれば、遊技領域に打ち出され勢いがある遊技球が流下する遊技球流路にて遊技球の流下速度が減速されることで衝突部にかかる衝撃が抑制されるため、衝突部の破損が防止されるばかりか、跳ね返りも小さくなるので透明板に接触しにくくなる。
・・・
【００１７】
　
パチンコ遊技機１は、
縦長の方形枠状に形成された外枠１００と、外枠１００に開閉可能に取り付けられた前面枠１０１と、で主に構成されている。
【００１８】
  ・・・また、ガラス扉枠１０２の背面には、
遊技盤６が前面枠１０１に対して着脱可能に取り付けられている。
【００１９】
　図４及び図５に示すように、
遊技盤６は、遊技領域７が前面に形成された
【００９５】
　図６に示すように、
遊技盤６の遊技盤面６ａには、遊技領域７を囲むように設けられ、打球発射装置（図示略）から発射された遊技球を遊技領域７内に誘導する発射球案内通路４００の一部を構成する外レール４０１及び内レール４０２、外レール飾り４１０ａ〜４１０ｃ、障害釘Ｋ（一部図示略）、風車Ｆ等の遊技用部材が取り付けられるとともに、センター枠飾り１１、可変入賞球装置１５、特別可変入賞球装置２０、ゲート３２、装飾部材２５や、後述する第１球誘導部材５００及び第２球誘導部材５５０等が前面側から取り付けられている。
【００９６】
　これら
外レール４０１及び内レール４０２、外レール飾り４１０ａ〜４１０ｃ、障害釘Ｋ、風車Ｆ、センター枠飾り１１、可変入賞球装置１５、特別可変入賞球装置２０、ゲート３２、装飾部材２５、第１球誘導部材５００、第２球誘導部材５５０は、遊技盤面６ａ上に配設される遊技用構造物（遊技用部材）であり、
障害釘Ｋ、風車Ｆ、センター枠飾り１１、可変入賞球装置１５、特別可変入賞球装置２０、ゲート３２、装飾部材２５、第１球誘導部材５００、第２球誘導部材５５０は、遊技領域７に遊技球の流下の障害となる立体物であり、遊技球の流下方向を変更させる流下方向変更部材を構成する。
・・・
【００９８】
　このようにこれら
外レール４０１及び内レール４０２や外レール飾り４１０ａ〜４１０ｃの誘導面４１０ｄにより、遊技盤面６ａは中央部に形成される略円形の遊技領域７とその周囲に形成される非遊技領域とに区画されるため、外レール飾り４１０ａ〜４１０ｃ及び外レール４０１及び内レール４０２は遊技領域７を形成するレール部材を構成している。
・・・
【０１０１】
　
センター枠飾り１１は、
枠本体２７０と、該枠本体２７０の前面に取り付けられる装飾部材２７４と、からパチンコ遊技機１の前後方向に所定の厚みを有するように形成され、装飾部材２７４が遊技盤面６ａから少なくとも遊技球の直径以上の厚み分突出するように取り付けられている。
・・・
【０１０３】
　
装飾部材２７４は、枠板部２７１の下辺部を除き正面視下向き略Ｃ字形に形成されており、その外周面は遊技球を誘導する誘導面２７５を構成している。この誘導面２７５のうち、特に上部から右側にかけて、外レール４０１及び外レール飾り４１０ｃの誘導面４１０ｄに対し所定の隙間を隔てて配置される誘導面２７５ａと、外レール４０１及び誘導面４１０ｄとの間に、遊技球を１球ずつ通過可能とする球案内通路２７６が形成されている。
・・・
【０１０５】
　また、
誘導面２７５ａの前側辺には、側壁２７７が該誘導面２７５ａに対し直交するように立設されている。この側壁２７７は、殆どが遊技球の直径２Ｒよりも短寸であるが、図９（ｂ）に示すように、後述する第１減速部２７８に設けられるカバー側壁２７７ａのみ長寸に形成されている。
【０１０６】
　図６に戻って、
遊技領域７において、センター飾り枠１１よりも左側の左遊技領域７ａは、
【０１０７】
　一方、
センター飾り枠１１よりも右側の右遊技領域７ｂは、
【０１０８】
　
球案内通路２７６は、遊技領域７の上部から右側にかけて略円弧状に延設され、その中間位置には第１減速部２７８が形成されている
その下流側近傍には第２減速部２７９が形成されている。
【０１０９】
　
第１減速部２７８における外レール４０１の内面所定箇所には、ゴム材等からなる緩衝部２８０が遊技球の移動方向に対し交差するように設けられているとともに、通路壁２９８もこの緩衝部２８０に沿って屈曲形成され、遊技球が遊技盤面６ａに沿って蛇行する蛇行部を構成している。これにより、緩衝部２８０に衝突した遊技球が外レール４０１から離れる方向（遊技領域７の中央側）に方向変換される。
第１減速部２７８の下流側近傍位置にも、誘導面２７５ａ及び外レール飾り４１０ｃの誘導面４１０ｄの一部に凹凸部が形成され、遊技球が遊技盤面６ａに沿って蛇行する蛇行部を構成している。
【０１１０】
　このように球案内通路２７６の所定箇所には、
第１減速部２７８及び第２減速部２７９が設けられ、これらを通過する際に遊技球が減速されるようになっている。打球発射装置は、打球操作ハンドル５の初期位置からの回転角度が大きくなるに従い遊技球を打ち出す際の弾発力が増大するようになっている。よって、遊技球の発射位置（図示略）からの距離が左遊技領域７ａよりも遠くなる右遊技領域７ｂに遊技球を打ち出す場合、左遊技領域７ａに遊技球を打ち出す場合よりも遊技球の弾発力を増大させる必要があり、
発射球案内通路４００から外レール４０１に沿って障害釘Ｋ等に衝突することなく高速で流入する遊技球を移動案内する球案内通路２７６内において、遊技球を効果的に減速させることができる。
【０１１１】
　特に緩衝部２８０は、右遊技領域７ｂに向けて強く打ち出された遊技球が最初に衝突する衝突部であるため、緩衝部２８０により反発力が減衰されるようになっているものの、遊技球が透視窓１０２ａ側に跳ね返る可能性がある。よって、この
第１減速部２７８においては、側壁２７７の一部を延設してなるカバー側壁２７７ａを、球案内通路２７６における第１減速部２７８の透視窓１０２ａ側を被覆するように設けて透視窓１０２ａを保護しているため、跳ね返った遊技球により透視窓１０２ａが損傷することが防止される。
　イ　　図面の記載及び上記アに摘記した事項から認定される事項
　イ−１　図６は、遊技領域の構成を示す概略図であって、図６の左上方には、以下の事項が記載されると認められる。
・遊技領域７を形成するレール部材を構成する外レール４０１及び内レール４０２が、打球発射装置から発射された遊技球を遊技領域７内に誘導する発射球案内通路４００の一部を構成し、発射球案内通路４００は、外側に位置する外レール４０１と、その内側に位置する内レール４０２とにより構成され、発射球案内通路４００の出口となる内レールの最上部は、遊技領域６の左上縁部側に位置すること （【００９５】、【００９８】、図６）。
・打球発射装置から発射された遊技球を遊技領域７内に誘導する発射球案内通路４００の出口となる内レール４０２の最上部の右上方には、右斜め上に向かった後鉛直下向きに向いた一点鎖線と、右斜め上方に向いた一点鎖線とが記載されること（【００９５】、図６）。
　図６において、一点鎖線は、遊技球の動きを表しているものと認められ、【０１０６】、【０１０７】、【０１１０】の記載と併せると、〇−２における右斜め上に向かった後鉛直下向きに向いた一点鎖線は、左遊技領域７ａに打ち出される遊技球の動きを表し、同右斜め上方に向いた一点鎖線は、右遊技領域７ｂに打ち出される遊技球の動きを表していると認められる。 
　したがって、図６及び上記アに摘記した事項から、
　遊技領域７を形成するレール部材を構成する外レール４０１及び内レール４０２が、打球発射装置から発射された遊技球を遊技領域７内に誘導する発射球案内通路４００の一部を構成し、発射球案内通路４００は、外側に位置する外レール４０１と、その内側に位置する内レール４０２とにより構成され、発射球案内通路４００の出口となる内レール４０２の最上部は、遊技領域６の左上縁部側に位置し、当該発射球案内通路４００の出口から、センター飾り枠１１よりも左側の左遊技領域７ａに打ち出される遊技球及びセンター飾り枠１１よりも右側の右遊技領域７ｂに打ち出される遊技球があることが看て取れる。
　【図６】
　イ−２　図８は、球案内通路を示す概略図であって、図８及び上記アに摘記した事項から、以下の事項が看て取れる。
イ−２−１　遊技領域７の上部から右側にかけて凸状の略円弧状に延設され、その中間位置には第１減速部２７８が形成されている球案内通路２７６は、遊技領域７の上部から第１減速部２７８が設けられた箇所までの球案内通路２７６の左側部分は、凸状の略円弧状に形成され、外レール４０１を上面とし、外レール４０１から所定の間隔を空けた下方に、誘導面２７５ａを下面として設けていること。
イ−２−２　遊技領域７の第１減速部２７８が設けられた箇所から右側までの球案内通路２７６の右側部分は、その一部に遊技盤面６ａに沿って蛇行する蛇行部を構成して第２減速部２７９が設けられ、球案内通路２７６を形成する通路壁は、外レール飾り４１０ｂの誘導面４１０ｄを上面とし、当該誘導面４１０ｄから所定の間隔を空けた下方に誘導面２７５ａを下面として設けていること。
イ−２−３　球案内通路２７６の左側部分と球案内通路２７６の右側部分との間には第１減速部２７８が形成され、外レール４０１の内面に、緩衝部２８０が遊技球の移動方向に対し交差するように下方から隣接して設けられ、通路壁２９８もこの緩衝部２８０に沿って屈曲形成され、遊技球が遊技盤面６ａに沿って蛇行する蛇行部を構成することで、緩衝部２８０に衝突した遊技球を外レール４０１から離れる方向である遊技領域７の中央側に方向変換し、前記蛇行部では、当該緩衝部２８０に対向する球案内通路２７６を形成する通路壁の下面となる誘導面２７５ａは、当該緩衝部２８０に沿って、球案内通路２７６の左側部分をなす凸状の略円弧状に形成された誘導面２７５ａから下方に略直角で下方に折れ曲がった後、さらに右斜め下方向に折れ曲がることにより全体として「く」の字の形状をなすとともに、球案内通路２７６の右側部分をなす誘導面２７５ａに連続していること。
イ−２−４　図８において、「外レール飾り」を表す符号「４１０ｂ」が記載された先頭の数字「４」が記載された箇所と、その右下側に位置する「第２減速部」を表す符号「２７９」から延びた指示線の矢印の先端の箇所とを結ぶ一直線上に、左から、「外レール４０１」、「緩衝部２８０」及び「球案内通路２７６の右側部分」の順に位置していること。
　【図８】
　上記ア及びイを参照すると、引用文献１には、以下の引用発明が記載されていると認められる（ａ〜ｋは、本願発明のＡ〜Ｋに対応させて付与した。）。 
　引用発明
「ａ　パチンコ遊技機１の外枠１００に開閉可能に取り付けられた前面枠１０１に取り付けられているとともに、前面に遊技領域７が形成され、遊技領域７において遊技球の流下方向を変更させる障害釘Ｋ、風車Ｆ、センター枠飾り１１、可変入賞球装置１５、特別可変入賞球装置２０、ゲート３２、装飾部材２５、第１球誘導部材５００、第２球誘導部材５５０が遊技盤面６ａに配設された遊技盤６と （【００１７】−【００１９】、【００９５】、【００９６】）、
ｂ　遊技盤６の遊技盤面６ａは、中央部に形成される略円形の遊技領域７とその周囲に形成される非遊技領域とに区画され、遊技盤面６ａに取り付けられ、遊技領域７を形成するレール部材を構成している外レール飾り４１０ａ〜４１０ｃ及び外レール４０１及び内レール４０２と、を備え（【００９５】、【００９８】）、
ｃ　遊技領域７を形成するレール部材を構成する外レール４０１及び内レール４０２が、打球発射装置から発射された遊技球を遊技領域７内に誘導する発射球案内通路４００の一部を構成し、発射球案内通路４００は、外側に位置する外レール４０１と、その内側に位置する内レール４０２とにより構成され、発射球案内通路４００の出口となる内レール４０２の最上部は、遊技領域６の左上縁部側に位置し、当該発射球案内通路４００の出口となる内レール４０２の最上部から、センター飾り枠１１よりも左側の左遊技領域７ａに打ち出される遊技球及びセンター飾り枠１１よりも右側の右遊技領域７ｂに打ち出される遊技球があり（【００９５】、【００９８】、【０１０６】、【０１０７】、【０１１０】、図６、イ−１）、
ｄ　センター飾り枠１１よりも右側の右遊技領域７ｂに遊技球を打ち出す場合、発射球案内通路４００の出口となる内レール４０２の最上部から外レール４０１に沿って障害釘Ｋ等に衝突することなく高速で流入する遊技球を移動案内するために、遊技領域７の上部から右側にかけて略円弧状に延設され、その中間位置には第１減速部２７８が形成されている球案内通路２７６を備えたパチンコ遊技機１において（【００１７】、【０１０７】、【０１０８】、【０１１０】、図６、イ−１）、
ｅ’、ｆ　遊技領域７の上部から右側にかけて略円弧状に延設された球案内通路２７６の中間位置に形成され、外レール４０１の内面には、ゴム材等からなる緩衝部２８０が遊技球の移動方向に対し交差するように下方から隣接して設けられているとともに、通路壁２９８もこの緩衝部２８０に沿って屈曲形成した第１減速部２７８を設け（【０１０８】、【０１０９】）、      
ｇ、ｈ、ｉ　センター枠飾り１１は、枠本体２７０と、該枠本体２７０の前面に取り付けられる装飾部材２７４と、からなり、装飾部材２７４は、遊技盤面６ａからパチンコ遊技機１の前後方向に少なくとも遊技球の直径以上の厚み分突出するように取り付けられるとともに、装飾部材２７４の外周面は、遊技球を誘導する誘導面２７５を構成し、この誘導面２７５のうち、特に上部から右側にかけて、外レール４０１及び外レール飾り４１０ｃの誘導面４１０ｄに対し所定の隙間を隔てて配置される誘導面２７５ａと、外レール４０１及び誘導面４１０ｄとの間に、遊技球を１球ずつ通過可能とする球案内通路２７６が形成され、
　球案内通路２７６は、
　遊技領域７の上部から第１減速部２７８が設けられた箇所までの球案内通路２７６の左側部分は、凸状の略円弧状に形成され、外レール４０１を上面とし、外レール４０１から所定の間隔を空けた下方に、誘導面２７５ａを下面として設け、
　遊技領域７の第１減速部２７８が設けられた箇所から右側までの球案内通路２７６の右側部分は、その一部に遊技盤面６ａに沿って蛇行する蛇行部を構成して第２減速部２７９が設けられ、球案内通路２７６を形成する通路壁は、外レール飾り４１０ｂの誘導面４１０ｄを上面とし、当該誘導面４１０ｄから所定の間隔を空けた下方に誘導面２７５ａを下面として設けるとともに、
　球案内通路２７６の左側部分と球案内通路２７６の右側部分との間には第１減速部２７８が形成され、外レール４０１の内面に、緩衝部２８０が遊技球の移動方向に対し交差するように下方から隣接して設けられ、通路壁２９８もこの緩衝部２８０に沿って屈曲形成され、遊技球が遊技盤面６ａに沿って蛇行する蛇行部を構成することで、緩衝部２８０に衝突した遊技球を外レール４０１から離れる方向である遊技領域７の中央側に方向変換し、前記蛇行部では、当該緩衝部２８０に対向する球案内通路２７６を形成する通路壁の下面となる誘導面２７５ａは、当該緩衝部２８０に沿って、球案内通路２７６の左側部分をなす凸状の略円弧状に形成された誘導面２７５ａから下方に略直角で下方に折れ曲がった後、さらに右斜め下方向に折れ曲がることにより全体として「く」の字の形状をなすとともに、球案内通路２７６の右側部分をなす誘導面２７５ａに連続し、
　第１減速部２７８及び第２減速部２７９を通過する際に遊技球が減速されるようになっていて、
　左から、「外レール４０１」、「緩衝部２８０」及び「球案内通路２７６の右側部分」の順に一直線上に位置しており（【０１０１】、【０１０３】、【０１０８】−【０１１０】、図８、イ−２−１ないしイ−２−４）、
ｊ’　球案内通路２７６を形成する通路壁の下面となる誘導面２７５ａの前側辺には、側壁２７７が該誘導面２７５ａに対し直交するように立設され、この側壁２７７は、殆どが遊技球の直径２Ｒよりも短寸であるが、第１減速部２７８に設けられるカバー側壁２７７ａのみ側壁２７７の一部を延設することで長寸とすることにより、球案内通路２７６における第１減速部２７８の透視窓１０２ａ側を被覆するように設けて透視窓１０２ａを保護しているため、緩衝部２８０に衝突することによって跳ね返った遊技球により透視窓１０２ａが損傷することが防止される（【０１０５】、【０１１１】）、
ｋ　パチンコ遊技機１（【００１７】）。」
（３）対比
　本件補正発明と引用発明とを、分説に従い対比する。 
　ア　　発明特定事項Ａについて
　引用発明の
　「遊技盤面６ａに配設された」「障害釘Ｋ、風車Ｆ、センター枠飾り１１、可変入賞球装置１５、特別可変入賞球装置２０、ゲート３２、装飾部材２５、第１球誘導部材５００、第２球誘導部材５５０」が「遊技球の流下方向を変更させる」こと、
　「遊技領域７」、
　「遊技盤６」の「前面に遊技領域７が形成され」ること、
　「遊技盤６」はそれぞれ、
　本件補正発明の
　「遊技球が流下可能」であること、
　「遊技領域」、
　「遊技領域」を「遊技板」の「前面に備えた」こと、
　「遊技板」に相当する。
　よって、引用発明は、本件補正発明の発明特定事項Ａに相当する構成を備えるといえる。　
　イ　　発明特定事項Ｂについて
　引用発明の「遊技盤面６ａ」は、「中央部に形成される略円形の遊技領域７とその周囲に形成される非遊技領域とに区画され」ていて、「レール部材を構成している外レール飾り４１０ａ〜４１０ｃ及び外レール４０１及び内レール４０２」が、「中央部に形成される略円形」の「遊技領域７を形成」しているから、当該「レール部材を構成している外レール飾り４１０ａ〜４１０ｃ及び外レール４０１及び内レール４０２」は、「遊技領域を囲む」ものということができる。
　よって、引用発明の「レール部材を構成している外レール飾り４１０ａ〜４１０ｃ及び外レール４０１及び内レール４０２」は、本件補正発明の「包囲壁」に相当するから、引用発明は、本件補正発明の発明特定事項Ｂに相当する構成を備えるといえる。　
　ウ　　発明特定事項Ｃについて
　引用発明の「発射球案内通路４００の出口となる内レール４０２の最上部」から、「センター飾り枠１１よりも左側の左遊技領域７ａに打ち出される遊技球及びセンター飾り枠１１よりも右側の右遊技領域７ｂに打ち出される遊技球」があるから、引用発明の「発射球案内通路４００の出口となる内レール４０２の最上部」は、本件補正発明の「遊技球」を「遊技領域に打ち込むための進入口」に相当する。
　また、引用発明の「発射球案内通路４００の出口となる内レール４０２の最上部」が「遊技領域６の左上縁部側に位置」することは、それが、「遊技領域の左上縁部側に設けられ」ていると言い換えることができるから、引用発明は、本件補正発明の発明特定事項Ｃに相当する構成を備えるといえる。
　エ　　発明特定事項Ｄ、Ｋについて
　引用発明の
　「センター飾り枠１１よりも右側の右遊技領域７ｂ」、
　「移動案内」、
　「パチンコ遊技機１」はそれぞれ、
　本件補正発明の
　「遊技領域の右側流下エリア」、
　「案内」、
　「遊技機１」に相当する。
　引用発明の「球案内通路２７６」は、「センター飾り枠１１よりも右側の右遊技領域７ｂ（本件補正発明の「遊技領域の右側流下エリア」に相当。）に遊技球を打ち出す場合、発射球案内通路４００の出口となる内レール４０２の最上部（本件補正発明の「進入口」に相当。）から外レール４０１（本件補正発明の「包囲壁」に相当。）に沿って障害釘Ｋ等に衝突することなく高速で流入する遊技球を移動案内（本件補正発明の「案内」に相当。）」するものであるから、引用発明の「球案内通路２７６」は、本件補正発明の「右打導入通路」に相当する。
　また、引用発明の「球案内通路２７６」は、「遊技領域７の上部から右側にかけて略円弧状に延設され」ているから、これを、「遊技領域の上縁部側に設けられ」ているということができる。
　よって、引用発明は、本件補正発明の発明特定事項Ｄ、Ｋに相当する構成を備えるといえる。　
　
　オ　　発明特定事項Ｅについて
　引用発明の「第１減速部２７８」は、「球案内通路２７６」の「通路壁２９８」を「屈曲形成」したものであるから、本件補正発明の「減速屈曲部」に相当する。
　また、引用発明の「第１減速部２７８」は、「遊技領域７の上部から右側にかけて略円弧状に延設された球案内通路２７６の中間位置」に形成され、かつ、「第１減速部２７８」において、「緩衝部２８０」が設けられている「外レール４０１の内面」は、上記イで検討したとおり、「レール部材を構成している外レール飾り４１０ａ〜４１０ｃ及び外レール４０１及び内レール４０２」が、「中央部に形成される略円形」の「遊技領域７を形成」している「レール部材」（構成ｂ）の一部であるから、引用発明の「第１減速部２７８」が設けられている位置は、遊技領域の上端部近傍であるか否かをさておけば、「遊技領域の上方に位置する部分」であるということができる。
　よって、引用発明の構成ｅ’、ｆと本件補正発明の発明特定事項Ｅとは、「前記右打導入通路のうち前記遊技領域の上方に位置する部分を屈曲させてなる減速屈曲部」を設けるという限りで共通する。
　カ　　発明特定事項Ｆについて
　引用発明の「第１減速部２７８」における「緩衝部２８０」は、「外レール４０１の内面」に、「遊技球の移動方向に対し交差するように下方から隣接して設けられている」から、引用発明の「緩衝部２８０」は、本件補正発明の「緩衝部材」に相当する。
　また、上記エで検討したとおり、引用発明において、「第１減速部２７８」（本件補正発明の「減速屈曲部」に相当。）が形成されている「球案内通路２７６」（本件補正発明の「右打導入通路」に相当。）に移動案内される遊技球は、「発射球案内通路４００の出口となる内レール４０２の最上部（本件補正発明の「進入口」に相当。）から外レール４０１（本件補正発明の「包囲壁」に相当。）に沿って障害釘Ｋ等に衝突することなく高速で流入する」（構成ｄ）から、引用発明の「緩衝部２８０」（本件補正発明の「緩衝部材」に相当。）に、「前記進入口から前記包囲壁に沿って進んできた遊技球が衝突可能」であるということができる。
　よって、引用発明は、本件補正発明の発明特定事項Ｆに相当する構成を備えるといえる。　
　キ　　発明特定事項Ｇについて
　引用発明の「球案内通路２７６」（本件補正発明の「右打導入通路」に相当。）において、「球案内通路２７６の左側部分」と「球案内通路２７６の右側部分」との間に位置する「第１減速部２７８」の「蛇行部」では、「当該緩衝部２８０に対向する球案内通路２７６を形成する通路壁の下面となる誘導面２７５ａは、当該緩衝部２８０に沿って、球案内通路２７６の左側部分をなす凸状の略円弧状に形成された誘導面２７５ａから下方に略直角で下方に折れ曲がった後、さらに右斜め下方向に折れ曲がることにより全体として「く」の字の形状をなすとともに、球案内通路２７６の右側部分をなす誘導面２７５ａに連続」しているから、当該「球案内通路２７６の左側部分をなす凸状の略円弧状に形成された誘導面２７５ａから下方に略直角で下方に折れ曲がった後、さらに右斜め下方向に折れ曲がることにより全体として「く」の字の形状をなす」「球案内通路２７６を形成する通路壁の下面となる誘導面２７５ａ」は、本件補正発明の「段差部」に相当する。
　また、引用発明の当該「球案内通路２７６の左側部分をなす凸状の略円弧状に形成された誘導面２７５ａから下方に略直角で下方に折れ曲がった後、さらに右斜め下方向に折れ曲がることにより全体として「く」の字の形状をなす」「球案内通路２７６を形成する通路壁の下面となる誘導面２７５ａ」（本件補正発明の「段差部」に相当。）は、左右方向でそれぞれ、「球案内通路２７６の左側部分をなす凸状の略円弧状に形成された誘導面２７５ａ」及び「球案内通路２７６の右側部分をなす誘導面２７５ａ」に連続していることから、
　引用発明の
　「球案内通路２７６の左側部分」、
　「球案内通路２７６の右側部分」、
　「蛇行部」はそれぞれ、
　本件補正発明の
　「左上側通路」、
　「右下側通路」、
　「中間通路」に相当する。
　よって、引用発明は、本件補正発明の発明特定事項Ｇに相当する構成を備えるといえる。　
　ク　　発明特定事項Ｈについて
　引用発明の「ゴム材等」は、本件補正発明の「弾性部材」に相当し、引用発明の「緩衝部２８０」（本件補正発明の「緩衝部材」に相当。）は、「ゴム材等」（本件補正発明の「弾性部材」に相当。）からなるから、これを、「緩衝部材は、弾性部材で構成されて」いるということができる。
　引用発明は、左から、「外レール４０１」（本件補正発明の「包囲壁」に相当。）、「緩衝部２８０」（本件補正発明の「緩衝部材」に相当。）及び「球案内通路２７６の右側部分」（本件補正発明の「右下側通路」に相当。）の順に同じ直線上に位置していることから、「緩衝部材」は、「前記右下側通路と前記包囲壁との間」に位置するということができる。
　また、引用発明の「緩衝部２８０」（本件補正発明の「緩衝部材」に相当。）は、「球案内通路２７６の左側部分」（本件補正発明の「左上側通路」に相当。）からの「遊技球の移動方向に対し交差」していることから、「緩衝部材」は、「左上側通路の延長線上に位置し」ているということができる。
　よって、引用発明は、本件補正発明の発明特定事項Ｈに相当する構成を備えるといえる。　
　ケ　　発明特定事項Ｉについて
　引用発明の「蛇行部」（本件補正発明の「中間通路」に相当。）では、「球案内通路２７６を形成する通路壁の下面となる誘導面２７５ａ」が、「球案内通路２７６の左側部分をなす凸状の略円弧状に形成された誘導面２７５ａから下方に略直角で下方に折れ曲がった後、さらに右斜め下方向に折れ曲がることにより全体として「く」の字の形状をなす」「球案内通路２７６を形成する通路壁の下面となる誘導面２７５ａ」（本件補正発明の「段差部」に相当。）となっているから、当該「全体として「く」の字の形状をなす」「誘導面２７５ａ」が、「球案内通路２７６の左側部分」をなす「誘導面２７５ａ」から「下方に折れ曲がっ」ていることは、本件補正発明の「段差部」が、「中間通路の左側内側面に形成され」ることに相当する。
　また、当該「全体として「く」の字の形状をなす」「誘導面２７５ａ」のうち、上半分の部位、すなわち、「球案内通路２７６の左側部分をなす凸状の略円弧状に形成された誘導面２７５ａから下方に略直角で下方に折れ曲がった」部位は、本件補正発明の「左上側通路の下面に対して略直交した逆流規制部」に相当し、同様に、当該「全体として「く」の字の形状をなす」「誘導面２７５ａ」のうち、下半分の部位、すなわち、前記上半分の部位に連なって、「さらに右斜め下方向に折れ曲がる」部位は、本件補正発明の「逆流規制部の下端部から下方に向かうに従って右側に向かうように傾斜した誘導傾斜部」に相当する。
　よって、引用発明は、本件補正発明の発明特定事項Ｉに相当する構成を備えるといえる。　
（４）一致点及び相違点
　上記（３）ア〜ケによれば、本件補正発明と引用発明とは、
「Ａ　遊技球が流下可能な遊技領域を前面に備えた遊技板と、
Ｂ　前記遊技領域を囲む包囲壁と、
Ｃ　前記遊技領域の左上縁部側に設けられ、遊技球を前記遊技領域に打ち込むための進入口と、
Ｄ　前記遊技領域の上縁部側に設けられ、前記進入口から前記包囲壁に沿って前記遊技領域の右側流下エリアに遊技球を案内する右打導入通路と、を備えた遊技機において、
Ｅ’　前記右打導入通路のうち前記遊技領域の上方に位置する部分を屈曲させてなる減速屈曲部と、
Ｆ　前記減速屈曲部に設けられて前記包囲壁に下方から隣接し、前記進入口から前記包囲壁に沿って進んできた遊技球が衝突可能な緩衝部材を設け、
Ｇ　前記右打導入通路は、前記減速屈曲部に設けられた段差部より左側の左上側通路と、右側の右下側通路と、前記左上側通路と前記右下側通路との間を連絡し、右下がりに傾斜する中間通路とを有し、
Ｈ　前記緩衝部材は、弾性部材で構成されて、前記右下側通路と前記包囲壁との間でかつ前記左上側通路の延長線上に位置し、
Ｉ　前記段差部は、前記中間通路の左側内側面に形成され、前記左上側通路の下面に対して略直交した逆流規制部と、前記逆流規制部の下端部から下方に向かうに従って右側に向かうように傾斜した誘導傾斜部とを備えた、
Ｋ　遊技機。」 
　の点で一致し、次の点で相違する。
　［相違点］
　ア　　相違点１（発明特定事項Ｅに関する）
　本件補正発明は、「前記右打導入通路のうち前記遊技領域の上端部近傍に位置する部分を屈曲させてなる減速屈曲部」を設けるのに対し、引用発明の「球案内通路２７６」のうち「第１減速部２７８」として「通路壁２９８」を「屈曲形成」させてなる位置について、引用発明は、「遊技領域７の上部から右側にかけて略円弧状に延設された球案内通路２７６の中間位置」としており、「遊技領域の上端部近傍に位置する部分」ではない点。
　イ　　相違点２（発明特定事項Ｊに関する）
　本件補正発明は、「前記緩衝部材のうち遊技球が衝突する衝突面は、前記遊技板側に向かうに従って前記左上側通路の延長方向に向かうように傾斜している」のに対し、引用発明は、「緩衝部材」に相当する「緩衝部２８０」を備えるものの、上記「遊技球が衝突する衝突面は、前記遊技板側に向かうに従って前記左上側通路の延長方向に向かうように傾斜している」に対応する構成を備えるものでない点。
（５）判断
　上記の相違点について検討する。 
　ア　　相違点１（発明特定事項Ｅに関する）について
　引用文献１には、「【００１３】
  本発明の手段６に記載の遊技機は、請求項１または手段１〜５のいずれかに記載の遊技機であって、・・・前記衝突部（衝突部５０５）は、前記遊技球流路の下流側（流出部２７６ｂの下方近傍位置）に配設され、
  前記遊技球流路に、該遊技球流路内を流下する遊技球の流下速度を減速させる減速部（第１減速部２７８，第２減速部２７９）が設けられている（図７参照）、
  ことを特徴としている。
  この特徴によれば、遊技領域に打ち出され勢いがある遊技球が流下する遊技球流路にて遊技球の流下速度が減速されることで衝突部にかかる衝撃が抑制されるため、衝突部の破損が防止されるばかりか、跳ね返りも小さくなるので透明板に接触しにくくなる。・・・」とも記載されている。
　すなわち、引用文献１においては、いわゆる右打ちを行った際に、遊技領域に打ち出され勢いがある遊技球が流下する遊技球流路にて遊技球の流下速度が減速されることで衝突部にかかる衝撃が抑制され、衝突部の破損防止と遊技球の跳ね返りを小さくして透明板の損傷防止を図ることが解決すべき課題であって、
　その課題を解決するための手段として、遊技球流路の下流側に衝突部を配設することを前提とし、遊技球流路に、該遊技球流路内を流下する遊技球の流下速度を減速させる減速部（第１減速部２７８，第２減速部２７９）を設けるという技術思想を採用するものである。
　そして、引用発明は、 「球案内通路２７６」において、「第１減速部２７８」に連続して、「球案内通路２７６の右側部分は、その一部に遊技盤面６ａに沿って蛇行する蛇行部を構成して、第２減速部２７９が設けられ」 、「第１減速部２７８及び第２減速部２７９を通過する際に遊技球が減速される」（構成ｇ、ｈ、ｉ）ものであって、上記(４) ［相違点］アに記載したとおり、引用文献１の実施例では、「球案内通路２７６」のうち「第１減速部２７８」として「通路壁２９８」を「屈曲形成」させてなる具体的な位置について、「遊技領域７の上部から右側にかけて略円弧状に延設された球案内通路２７６の中間位置」（【０１０８】）とすることが記載されていているので、引用発明において、「球案内通路２７６」のうち「第１減速部２７８」（本件補正発明の「減速屈曲部」に相当。）として、「通路壁２９８」を「屈曲形成」させてなる位置について、「遊技領域７の上部から右側にかけて略円弧状に延設された球案内通路２７６の中間位置」（構成ｅ’、ｆ）であると認定したものである。
　しかし、上記のとおり、引用文献１には、技術思想として、「遊技球流路に、該遊技球流路内を流下する遊技球の流下速度を減速させる減速部（第１減速部２７８，第２減速部２７９）を設ける」（「【００１３】）との開示があり、引用文献１の記載からは、必ずしも、「第１減速部２７８」が、「球案内通路２７６の中間位置」に設けられる必要性はなく、 「球案内通路２７６」の適宜の位置に設けられることが示唆されるか、あるいは、少なくとも許容されているものと認められる。
　そうすると、引用発明は、上記のとおり、「第１減速部２７８及び第２減速部２７９を通過する際に遊技球が減速される」（構成ｇ、ｈ、ｉ）から、「第１減速部２７８」とその下流に位置する「第２減速部２７９」とを合わせた長さが短くなると、遊技球流路における遊技球の流下速度の減速が十分になされず、衝突部にかかる衝撃が抑制されなくなるので、「第１減速部２７８」（本件補正発明の「減速屈曲部」に相当。）として、「通路壁２９８」を「屈曲形成」させてなる位置を、「遊技領域７の上部から右側にかけて略円弧状に延設された球案内通路２７６」の「中間位置」より下流側である右下の方向にずらすことは考えづらい。それよりは、むしろ、遊技球流路における遊技球の流下速度を減速させ、衝突部にかかる衝撃を抑制するという課題をより確実に達成するために、当該「通路壁２９８」を「屈曲形成」させてなる位置を、前記「中間位置」より上流側である左上の方向にずらすことにより、「第２減速部２７９」の長さを長くとる構成とする設計変更を行うことが自然であり、そのような設計変更を行うことは、上記のとおり、引用文献１の記載から示唆されるか、あるいは、少なくとも許容されているものと認められる。
　したがって、引用発明において、「第１減速部２７８」（本件補正発明の「減速屈曲部」に相当。）として、「通路壁２９８」を「屈曲形成」させてなる位置を、「遊技領域７の上部から右側にかけて略円弧状に延設された球案内通路２７６」の「中間位置」より上流側である左上の方向にずらすことにより、「遊技領域の上端部近傍に位置する部分」とする設計変更を行うことは、当業者が容易に想到し得るものと認められる。
　よって、引用発明に上記設計変更を行うことにより、上記相違点１に係る本件補正発明の構成とすることは、当業者が容易に想到し得たことである。
　イ　　相違点２（発明特定事項Ｊに関する）について
　引用文献１には、引用発明のほか、
　センター飾り枠１１よりも右側の右遊技領域７ｂに遊技球を打ち出す場合、発射球案内通路４００の出口となる内レール４０２の最上部から外レール４０１に沿って障害釘Ｋ等に衝突することなく高速で流入する遊技球を移動案内するために、遊技領域７の上部から右側にかけて略円弧状に延設され、その中間位置には第１減速部２７８が形成されている球案内通路２７６を備えたパチンコ遊技機１において（【００１７】、【０１０７】、【０１０８】、【０１１０】）、
　遊技盤面６ａから前方に隆起するように設けられる立体構造物である第１球誘導部材５００が遊技盤面６ａに取り付けられ、第１球誘導部材５００の上面には、球案内通路２７６から流出し落下された遊技球を転動により遊技領域７の中央側に向けて誘導する転動部としての転動面５０１が形成され（【０１１５】、図１０、図１１）、
 転動面５０１の傾斜上位側には段部としての転動傾斜面５０１ａが形成されており、該転動傾斜面５０１ａと、転動傾斜面５０１ａの傾斜上位側の上転動面５０１ｂと、転動傾斜面５０１ａの傾斜下位側の下転動面５０１ｃと、により連続する転動面５０１が構成され（【０１１６】、図１０−図１２）、
　上転動面５０１ｂには、側壁５０３から遊技盤６に向けて延設された衝突部５０５が突設され（【０１１９】）、
　球案内通路２７６の流出部２７６ｂから流出して外レール４１０ｃの誘導面４１０ｄに沿うように流下してくる遊技球は、衝突部５０５の衝突傾斜面５０５ａに衝突し、衝突傾斜面５０５ａに衝突した遊技球が透視窓１０２ａ側に跳ねる可能性があるが、衝突傾斜面５０５ａは、遊技盤６側に向けて下方に傾斜しているため、遊技球が強制的に遊技盤面６ａ側に向けて跳ね返されるようになっている（【０１２３】、図６、図１２）技術（以下、「引用文献１に記載の技術」という。）、が記載されている。
　また、引用文献１に記載の技術において、「衝突傾斜面５０５ａは、遊技盤６側に向けて下方に傾斜している」ことは、図１２（ｂ）の記載と併せると、「衝突傾斜面５０５ａは、遊技盤面６ａ側に向かうに従って遊技球が流下する方向に向かうように傾斜している」と言い換えることができるから、上記引用文献１に記載の技術は、「衝突部５０５」のうち遊技球が衝突する「衝突傾斜面５０５ａ」は、「遊技盤面６ａ側に向かうに従って遊技球が流下する方向に向かうように傾斜している」技術を示している。
　ここで、引用文献１に記載の技術の
　「衝突部５０５」、
　「衝突傾斜面５０５ａ」
　「遊技盤面６ａ側」はそれぞれ、
　本件補正発明の
　「緩衝部材」、
　「遊技球が衝突する衝突面」
　「遊技板側」に相当するから、
　引用文献１に記載の技術は、「前記緩衝部材のうち遊技球が衝突する衝突面は、前記遊技板側に向かうに従って遊技球が流下する方向に向かうように傾斜している」技術であるということができる。
　そして、引用発明と引用文献１に記載の技術とは、同一文献に記載されている技術であるとともに、パチンコ遊技機という同じ技術分野に属し、遊技球が衝突部に衝突することにより跳ね返った遊技球により透視窓１０２ａの損傷を防止するという点で課題も共通しているから、引用発明の「第１減速部２７８」（本件補正発明の「減速屈曲部」に相当。）における「緩衝部２８０」（本件補正発明の「緩衝部材」に相当。）に衝突することによって跳ね返った遊技球により透視窓１０２ａが損傷することを防止するために、「第１減速部２７８に設けられるカバー側壁２７７ａのみ側壁２７７の一部を延設することで長寸とすることにより、球案内通路２７６における第１減速部２７８の透視窓１０２ａ側を被覆するように設けて透視窓１０２ａを保護」（構成ｊ’）する手段に替え、上記引用文献１に記載の技術である「前記緩衝部材のうち遊技球が衝突する衝突面は、前記遊技板側に向かうに従って遊技球が流下する方向に向かうように傾斜している」技術を適用することは、当業者が容易に想到し得ることである。
　また、引用発明の「第１減速部２７８」（本件補正発明の「減速屈曲部」に相当。）における「緩衝部２８０」（本件補正発明の「緩衝部材」に相当。）に遊技球が衝突するとき、遊技球は左上側通路の延長方向に遊技球が移動しているから、「遊技球が流下する方向」と「左上側通路の延長方向」とは同じ方向を指し示していることは明らかである。
　よって、引用発明に上記引用文献１に記載の技術を適用することにより、上記相違点２に係る本件補正発明の構成とすることは、当業者が容易に想到し得たことである。
　また、本件補正発明の効果は、引用発明及び引用文献１に記載の技術から予測し得るものであって格別顕著なものということはできない。
（６）請求人の主張について
　請求人は、審判請求書において、概略、以下の二の主張をしているところ。
　［主張１］　
「４．本願発明が特許されるべき理由 
 　・・・遊技領域の右側流下エリアに遊技球を流下させるためには、遊技球を比較的速い流下速度で打ち込まなければなりません。つまり、引用文献１の右打導入通路を流下する遊技球は、遊技領域の上端位置に配置されたときの比較的速い第１流下速度に加えて、減速屈曲部に向かって降下する際に加わる加速度が加えられた第２流下速度で減速屈曲部まで流下します。このため、引用文献１の遊技機では、緩衝部材に衝突しても遊技球がガラス窓を傷つける虞がある程の流下速度となっていて、遊技球が右打導入通路を単に比較的速い速度で流下するだけであり、右打導入通路における遊技球の動きを斬新にすることはできません。 
　一方、本願発明の遊技機は、減速屈曲部が、「右打導入通路のうち遊技領域の上端部近傍に位置する部分」に位置していることを特徴とし、遊技領域の上端位置近傍で遊技球が緩衝部材と衝突するように構成しています。これにより、本願発明では、遊技領域の上端位置近傍に配置されたときの比較的速い第１流下速度の状態で遊技球を緩衝部材に衝突させることができるので、第１流下速度より遅い流下速度に落とすことができます。そして、第１流下速度より遅い流下速度で減速屈曲部を通過させて右側流下エリアへと流下させることができます。このように、本願発明では、遊技領域の上端位置近傍で遊技球の流下速度を落とし、しかも、その遅い流下速度の状態で減速屈曲部を通過させるので、右打導入通路における遊技球の動きを斬新にすることが可能となります。」
　［主張２］
「また、引用文献１の減速屈曲部における中間通路は、同文献の図８に示されるように、左下がりに傾斜した構成になっています。これは、前述したように、非常に速い第２流下速度で遊技球が減速屈曲部に向かってくるが故に、遊技球を緩衝部材に衝突させて減速させる構成では足りず、さらに左側の壁に遊技球を衝突させて流下速度を落とそうとするものであります。 
　一方、本願発明の減速屈曲部における中間通路は、右下がりに傾斜する構成になっています。これにより、本願発明では、遊技領域の上端部近傍で第１流下速度より遅い流下速度に落とされた遊技球を停滞させることなく、スムーズに流下させることができます。即ち、引用文献１の中間通路は、遊技球の流下速度を落とそうとする減速の役割を果たすのに対し、本願発明の中間通路は、遊技球を停滞させることなく流下させようとする加速の役割を果たすため、機能が全く異なります。」
　上記主張について検討する。
　ア　　主張１について
（ｉ）請求人が主張する「・・・引用文献１の右打導入通路を流下する遊技球は、遊技領域の上端位置に配置されたときの比較的速い第１流下速度に加えて、減速屈曲部に向かって降下する際に加わる加速度が加えられた第２流下速度で減速屈曲部まで流下します。」という点について検討する。
　たしかに「減速屈曲部に向かって降下する際に加わる加速度」の影響は幾ばくかはあるにせよ、引用発明が、いわゆる右打ちを行うため、打球発射装置が遊技球を打ち出す際の弾発力を増大させている状況において、「球案内通路２７６」に流入する遊技球は、「・・・遊技球の発射位置（図示略）からの距離が左遊技領域７ａよりも遠くなる右遊技領域７ｂに遊技球を打ち出す場合、・・・遊技球の移動速度も速くなるため、発射球案内通路４００から外レール４０１に沿って障害釘Ｋ等に衝突することなく高速で流入する遊技球・・・」 （【０１１０）】）であることを考慮すると、高々、５．４〜５．７ｇ程度の重さの鋼球が１０ｃｍ乃至２０ｃｍ程度鉛直方向に落下する際に生じる重力加速度により速度が増加する影響は小さいものと認められる。
（ｉｉ）また、請求人は、「・・・引用文献１の遊技機では、緩衝部材に衝突しても遊技球がガラス窓を傷つける虞がある程の流下速度となって・・・」いる旨の主張も行っているが、本件補正発明も、「前記緩衝部材のうち遊技球が衝突する衝突面は、前記遊技板側に向かうに従って前記左上側通路の延長方向に向かうように傾斜している」（発明特定事項Ｊ）という構成を備え、その構成により、「・・・本実施形態の緩衝部材４１では、衝突面４１Ｍに衝突した遊技球は、・・・第２傾斜により遊技板１１側へと誘導され、遊技球が前面に飛び出してガラス窓１０Ｗを傷つけることが抑制される。」（本願明細書の【００４６】）という作用効果を奏するものであるから、遊技球が、引用発明の「緩衝部２８０」に衝突するときの速度も、本件補正発明の「緩衝部材」に衝突するときの速度も共に、遊技球がガラス窓を損傷する可能性がある程度の速度であり、ガラス窓の損傷を防止する手段を設ける必要があるという点で共通していることからも、上記重力加速度により速度が増加する影響は小さいものと認められる。
（ｉｉｉ）さらに、請求人が主張する「・・・本願発明では、遊技領域の上端位置近傍で遊技球の流下速度を落とし、しかも、その遅い流下速度の状態で減速屈曲部を通過させるので、右打導入通路における遊技球の動きを斬新にすることが可能となります。」という点について検討する。
　本件補正発明における「減速屈曲部」における遊技球の減速について、本願明細書には、以下の事項が記載されている（下線は当審にて付した。）。
「【００２５】
　即ち、右打導入通路Ｒｃは、その左端部を上下方向にクランク状に屈曲させてなる減速屈曲部４２を備えている。詳細には、右打導入通路Ｒｃは、上側流下規制部２４Ａの頂上部２４Ｔ上の左上側通路４５と、左上側通路４５の右方で左上側通路４５から遊技球１球分下方にずれて延びた右下側通路４６と、左上側通路４５と右下側通路４６との間を連絡する中間通路４３とを有している。
・・・
【００２６】
　また、上側流下規制部２４Ａの外側面のうち中間通路４３の左方部には、頂上部２４Ｔの右端から略直交して下方に僅かに延びた逆流規制部２４Ｃと、逆流規制部２４Ｃの下端部から下方に向かうに従って右側に向かうように傾斜して、上下方向及び左右方向で遊技球１球分延びた誘導傾斜部２４Ｄとが備えられている。なお、逆流規制部２４Ｃと誘導傾斜部２４Ｄとを合わせたものが本発明の「傾斜部」に相当する。
【００２８】
　また、減速屈曲部４２には、緩衝部材４１が設けられている。・・・
【００３９】
　右打導入通路Ｒｃに進入した遊技球は、まず減速屈曲部４２を通過する。減速屈曲部４２では、左上側通路４５を右方へ移動する遊技球が緩衝部材４１に衝突して減速され、その下方に配された右下側通路４６へ案内される。なお、比較的緩やかに右打導入通路Ｒｃに進入した遊技球は、緩衝部材４１に衝突せずに右下側通路４６に向かう場合もある。
・・・
【００４２】
　このように、本実施形態の遊技機１０では、第１ガイドレール１２Ａに案内されて進んできた遊技球が減速屈曲部４２で屈曲されるので、右打導入通路を通過する遊技球が包囲壁に案内されて進んでいくだけの構成であった従来の遊技機よりも、右打導入通路Ｒｃにおける遊技球の動きを斬新にすることができる。また、第１ガイドレール１２Ａに沿って進んできた遊技球が緩衝部材４１と減速屈曲部４２とにより減速されるので、その後の右打導入通路Ｒｃにおける遊技球の動きは、第１ガイドレール１２Ａに案内される形態ではなく、転動する形態となり、右打導入通路Ｒｃにおける遊技球の動きをより斬新にすることができる。」
　本件補正発明においては、「減速屈曲部」に関し、概略、
・「前記右打導入通路のうち前記遊技領域の上端部近傍に位置する部分を屈曲させてなる減速屈曲部」（発明特定事項Ｅ）、
・「前記減速屈曲部に設けられて・・・遊技球が衝突可能な緩衝部材を設け」（発明特定事項Ｆ）
・「・・・前記減速屈曲部に設けられた段差部・・・」（発明特定事項Ｇ）、
・「前記段差部は、前記中間通路の左側内側面に形成され、・・・逆流規制部と、・・・誘導傾斜部とを備え」（発明特定事項Ｉ）、
　と特定されていることから、
　本件補正発明における「減速屈曲部」に対応する実施例として、少なくとも、本願明細書の「緩衝部材４１」及び「中間通路４３の左方部」の「逆流規制部２４Ｃと誘導傾斜部２４Ｄとを合わせたもの」により「左端部を上下方向にクランク状に屈曲させてなる」ことが対応しているといえる。
　そして、本願明細書の上記摘記事項から、本件補正発明の「減速屈曲部」における遊技球の減速について対応する実施例の作用を検討すると、本願明細書の実施例では、「遊技球が緩衝部材４１に衝突して減速され」（【００３９】）るだけでなく、当該「緩衝部材４１」と遊技球の衝突に加え、「減速屈曲部４２」が「左端部を上下方向にクランク状に屈曲させてなる」こととの総和により、遊技球が減速されているものと認められる。
　そうすると、「緩衝部２８０」と遊技球との衝突に加え、「第１減速部２７８」が「球案内通路２７６を形成する通路壁の下面となる誘導面２７５ａ」を「球案内通路２７６の左側部分をなす凸状の略円弧状に形成された誘導面２７５ａから下方に略直角で下方に折れ曲がった後、さらに右斜め下方向に折れ曲がることにより全体として「く」の字の形状をなす」「蛇行部」 （構成ｇ、ｈ、ｉ）とすることにより遊技球を減速させている引用発明と上記の本件補正発明の「減速屈曲部」とは、遊技球を減速させるという機能の点、及び、遊技球を蛇行させて動きに変化を持たせるという機能の点で相違するものではない。
　また、上記（５）イにおいて、相違点２（発明特定事項Ｊに関する）について判断したとおり、引用発明の「第１減速部２７８に設けられるカバー側壁２７７ａのみ側壁２７７の一部を延設することで長寸とすることにより、球案内通路２７６における第１減速部２７８の透視窓１０２ａ側を被覆するように設けて透視窓１０２ａを保護」（構成ｊ’）する手段に替え、上記引用文献１に記載の技術である「前記緩衝部材のうち遊技球が衝突する衝突面は、前記遊技板側に向かうに従って遊技球が流下する方向に向かうように傾斜している」技術を適用しているから、「第１減速部２７８の透視窓１０２ａ側を被覆」している「カバー側壁２７７ａ」が不要となるので、「第１減速部２７８」の視認を妨げるることもなくなるから、引用発明及び引用文献１に記載の技術は、減速後の遊技球の動きを斬新にしているという作用効果を奏するものといえる。
　よって、（ｉ）ないし（ｉｉｉ）で検討したとおり、請求人が主張する主張１を採用することはできない。
　イ　　主張２について
　請求人が主張する「また、引用文献１の減速屈曲部における中間通路は、同文献の図８に示されるように、左下がりに傾斜した構成になっています。・・・一方、本願発明の減速屈曲部における中間通路は、右下がりに傾斜する構成になっています。・・・」という点について、たしかに、鉛直方向を基準としてみれば、引用発明の「全体として「く」の字の形状をなす」「誘導面２７５ａ」のうち、上半分の部位、すなわち、「球案内通路２７６の左側部分をなす凸状の略円弧状に形成された誘導面２７５ａから下方に略直角で下方に折れ曲がった」部位（本件補正発明の「左上側通路の下面に対して略直交した逆流規制部」に相当。）は引用文献１の図８を参照すると、左下がりに傾斜し、本件補正発明の「逆流規制部」は、本件図面の図５をみると、「逆流規制部２４ｃ」は若干右下がりとなっているように見える。
　しかし、遊技球を案内するレールとの位置関係でいえば、引用発明の「球案内通路２７６の左側部分をなす凸状の略円弧状に形成された誘導面２７５ａから下方に略直角で下方に折れ曲がった」部位は、上記（３）ケにおいて検討したとおり、レールに対し、「略直角で下方に折れ曲がった」位置にあり、本件補正発明の「逆流規制部」もレールに対し、「略直交」した位置にあるから、レールに沿って高速移動する遊技球の挙動に影響に与える影響という点では、レールとの相対的な位置関係が同じであることから、両者に相違はないものといえる。
　よって、請求人が主張する主張２を採用することはできない。
（７）小括
　したがって、本件補正発明は、引用発明及び引用文献１に記載の技術に基いて当業者が容易に発明をすることができたものであるから、特許法第２９条第２項の規定により、特許出願の際独立して特許を受けることができない。 
４．むすび 
　上記３．において検討したことからみて、本件補正は、特許法第１７条の２第６項において準用する同法第１２６条第７項の規定に違反するので、同法第１５９条第１項において読み替えて準用する同法第５３条第１項の規定により却下すべきものである。 
第３　本願発明について 
１．本願発明 
　本件補正は、上記のとおり却下されたので、本願の請求項１に係る発明（以下、「本願発明」という。）は、平成３０年１月３１日付け手続補正書により補正された、上記第２の１．で示した特許請求の範囲の請求項１に記載されたとおりのものである。 
２．原査定における拒絶の理由 
　原査定の拒絶の理由は、概略、次のとおりのものである。
（進歩性）本願発明は、その出願前に日本国内において、頒布された下記の刊行物に記載された発明又は電気通信回線を通じて公衆に利用可能となった発明に基いて、その出願前にその発明の属する技術の分野における通常の知識を有する者が容易に発明をすることができたものであるから、特許法第２９条第２項の規定により特許を受けることができない。 
 　　　　　　　　　　　　　　　　　記 
　引用文献１．特開２０１３−１７７４８号公報
３．引用文献１に記載の事項 
　原査定の拒絶の理由に引用された引用文献１の記載事項は、上記第２の３．（１）に記載したとおりである。 
４．対比・判断
　本願発明は、上記「第２の２．（２）補正目的」において検討したとおり、本件補正発明において、
（ｉ）発明を特定するために必要な事項である「右打導入通路」に関して、「前記遊技領域の上縁部側に設けられ」という限定を省き、
（ｉｉ）発明を特定するために必要な事項である「右打導入通路」を「屈曲させてなる」「減速屈曲部」に関して、「右打導入通路」を屈曲させる部分が、該通路「のうち前記遊技領域の上端部近傍に位置する部分」であるという限定を省き、
（ｉｉｉ）発明を特定するために必要な事項である「左上側通路」と「右下側通路」との間を連絡する「中間通路」に関し、「右下がりに傾斜する」ものであるという限定を省くとともに、
（ｉｖ）「前記緩衝部材は、弾性部材で構成されて、前記右下側通路と前記包囲壁との間でかつ前記左上側通路の延長線上に位置し、」という記載から、読点（「、」）を省くものである。
　そうすると、本願発明と引用発明とは、上記（ｉ）の限定を省く補正事項から相違点１はなくなり、上記「第２の３．（４）対比」において検討した相違点２の点で異なるものである。 
　そして、相違点２については、前記「第２の３．（５）イにおいて検討したように、引用発明及び引用文献１記載の技術に基いて、当業者が容易に発明をすることができたものである。
　
５．むすび 
　以上のとおり、本願発明は、引用発明及び引用文献１記載の技術に基いて、当業者が容易に発明をすることができたものであるから、特許法第２９条第２項の規定により特許を受けることができないものである。 
　したがって、本願は拒絶すべきものである。 
　よって、結論のとおり審決する。